(57)【要約】【課題】同一の放射線照射結果を得るために要する放射線条件の低減を、高い安全性・信頼性の元で実現できる可動絞り装置及び放射線撮影装置を提供する。【解決手段】放射線の曝射経路に対し進退可能に設置され且つ光源３１からの光を反射させて可動絞り３８を介して被検体Ｐに照射する反射鏡３４と、この反射鏡３４を光照射時にはＸ線経路内の正規位置に駐止させるとともにＸ線照射時にはＸ線経路外の退避位置に駐止させる反射鏡位置制御手段と、反射鏡３４の位置を検出する検出手段と、この検出手段により検出された信号により上記反射鏡が上記正規位置にあるか否かを判定する判定手段と、この判定手段により上記反射鏡が上記正規位置にあることが検出できないときはＸ線の曝射を阻止するロック手段と、上記正規位置または退避位置にあることが検出できないときは異常発生を知らせる警報手段とを備える。【選択図】  図２
2005006971.tif 000002
【特許請求の範囲】
【請求項１】
放射線源と被検体との間に置かれ、当該放射線源から曝射された放射線の前記被検体への照射野を広狭可変に設定する可動絞りを有する放射線可動絞り装置において、前記照射野を設定するための光を発生させる光源と、前記放射線の曝射経路に対し進退可能に設置され、かつ、前記光源からの光を反射させて前記可動絞りを介して前記被検体に照射する反射鏡と、前記反射鏡を、光照射時にはＸ線経路内の正規位置に駐止させるとともに、放射線照射時には放射線経路外の退避位置に駐止させる反射鏡位置制御手段とを備える放射線可動絞り装置。
【請求項２】
前記反射鏡の位置を検出する検出手段と、この検出手段により検出された信号により前記反射鏡が前記正規位置にあるか否かを判定する判定手段と、この判定手段により上記反射鏡が上記正規位置にあることが検出できないときは放射線の曝射を阻止するロック手段とを備えた請求項１記載の放射線可動絞り装置。
【請求項３】
前記反射鏡の位置を検出する検出手段と、この検出手段により検出された信号により前記反射鏡が前記正規位置または前期退避位置にあるか否かを判定する判定手段と、この判定手段により上記反射鏡が上記正規位置または上記退避位置にあることが検出できないときは異常発生を知らせる警報手段とを備えた請求項１または２記載の放射線可動絞り装置。
【請求項４】
前記検出手段は、前記反射鏡に向かってレーザ光を投射するレーザ光発生素子と、この投射されたレーザ投射光が上記反射鏡により反射されたレーザ反射光を受光する受光素子とを備えることを特徴とする請求項２または３に記載の放射線可動絞り装置。
【請求項５】
前記放射線源はＸ線源であることを特徴とする放射線可動絞り装置。
【請求項６】
請求項１乃至５の何れか１つの放射線可動絞り装置を備えることを特徴とする放射線撮影装置。
【発明の詳細な説明】
【０００１】
【発明の属する技術分野】
本発明は、被検体を透過したＸ線を用いて診断を行う放射線撮影装置に係り、特に光照射野を用いて放射線照射野を制限する放射線可動絞りに関する。
【０００２】
【従来の技術】
放射線撮影装置の中でも、Ｘ線撮影装置には、透過Ｘ線をＸ線フィルムに感光させてＸ線像を得る直接撮影方式と、透過Ｘ線をイメージインテンシファイア（以下「Ｉ．Ｉ．」という。）で可視光に変換し、これをＴＶカメラで撮影してＸ線像を得る間接撮影方式とがあり、消化管造影検査、気管支造影検査等に広く利用されている。
【０００３】
Ｘ線撮影装置は、Ｘ線を照射可能なＸ線管を備えるとともに、Ｘ線の照射範囲を制限して被検体への余分な曝射を回避可能な可動絞り装置が取り付けられる。可動絞り装置は、内蔵した絞りの開度を調整することによって、Ｘ線照射野（照射範囲）を所望の領域に設定できるようになっている。このＸ線照射野の設定には、被検体上で照射野を確認する必要があるが、これを、実際にＸ線を照射することなく行うことが重要である。
【０００４】
図７は、従来のＸ線撮影装置に備えたＸ線管２０および可動絞り装置２を示したものであり、可動絞り装置２には、Ｘ線焦点位置Ｆと共役な位置に光源３１を配置してある。
【０００５】
同図でわかるように、Ｘ線は、Ｘ線管１１内のＸ線焦点位置Ｆから照射され、絞り羽根３８を経て被検体Ｐに到達するが、Ｘ線焦点位置Ｆと共役な位置に配置された光源３１を点灯すると、光源３１の光は反射鏡３４で反射して被検体Ｐを照射し、光源３１の照射野はＸ線の照射野と一致する。
【０００６】
このように、光源３１を点灯してＸ線照射野の範囲を照らすことにより、Ｘ線を曝射する前にあらかじめ絞りの開度調整あるいはＸ線管と被検者との位置合わせ等を行っている。
【０００７】
したがって、光照射野を有するＸ線可動絞りを備えたＸ線撮影装置においては、光照射野の投影のためにＸ線経路中に固定された反射鏡を備えている。
【０００８】
しかしながら、この反射鏡がＸ線を吸収するため、被検体をＸ線撮影するのに必要なＸ線量を得るには、予めこの反射鏡による吸収分を織り込んだＸ線量を曝射する必要がある。ところが、この反射鏡は、主として表面を金属蒸着したガラス等で作成されるので、このガラスの鉛含有量によって、Ｘ線吸収量が大きく異なり、どうしても安全側、すなわち、Ｘ線吸収量を多い目に算定しがちとなって、畢竟、Ｘ線条件を高めに設定することになり易い。
【０００９】
ところで、Ｘ線撮影装置で使用されるＸ線は単色Ｘ線ではなく連続スペクトルのＸ線である。しかし、低エネルギーＸ線（軟線）は被検体の表面で多く吸収され、被検体の体内のＸ線画像撮影には寄与することなく、徒に被検体をＸ線に曝すだけである。
【００１０】
そこで、被検体に到達する前にこの軟線を取り除くべく、種々の規格（例えば、ＪＩＳ  Ｚ  ４７０１：医用Ｘ線装置通則や、ＩＥＣ  ６０６０１：医用電気機器の安全規格など）において、軟線除去のための付加フィルタについて規定されている。
【００１１】
このようなＸ線撮影装置として要求されるフィルタ量を算定する場合、上述のように反射鏡がＸ線を吸収するため、反射鏡自体をフィルタ量の一部として加算する必要がある。しかし、反射鏡は機能的なフィルタとしての意味の無い無駄な吸収体である。そこで、この反射鏡がなければ、重金属とかの意図的・機能的なフィルタをフルに使うことができる。
【００１２】
加えて、Ｉ．Ｉ．を用いた間接撮影では、微弱なＸ線を照射する透視を行なって、透視画像でＸ線絞りの開度を調整することがあり、この場合、被検体に余分なＸ線被曝を強いることになる。したがって、無用なＸ線の曝射は少しでも避けるに越したことはない。
【００１３】
このＸ線条件を改善するものとして、Ｘ線管と被検体との距離を短くすることにより解決すべく、レーザ光を用いる方式が知られている（例えば、特許文献１参照。）。
【００１４】
このＸ線照射野確認装置は、Ｘ線中心軸に直交するように出力光軸が向けられたレーザ光源と、このレーザ光源からのビーム光を、Ｘ線管が実際にＸ線を照射したときの照射野最外周の軌跡に沿って反射，進行させる位置及び角度をもって前記レーザ光源に対向設置されたＸ線透過性の反射鏡とを設けるものである。
【００１５】
【特許文献１】
特開平７−４７０６３号公報
【００１６】
【発明が解決しようとする課題】
しかしながら、このレーザ光源からのビーム光は、Ｘ線照射野最外周の１点しか指し示さないので、照射野全体を一度に判断することはできない。たとえレーザ光源と反射鏡とを対にして回転させても状況は大きくは変わらない。
【００１７】
照射野最外周の多数の点を同時に指示させるには、レーザ光源と反射鏡との多数の組が必要である。しかし、この装置においても反射鏡の一部はＸ線照射野内の外周付近に残る構造であるので、中心部分では反射鏡によるＸ線吸収はないものの、外周廻りではＸ線吸収が生じ、均一なＸ線条件が得られない虞がある。
【００１８】
本発明は、上述した事情を考慮してなされたもので、明確なＸ線照射野を得るとともに、同一の放射線照射結果を得るために要する放射線条件を低減することができる可動絞り装置及び放射線撮影装置を提供することを目的とするものである。
【００１９】
本発明の他の目的は、上記目的をより高い安全性・信頼性の元で実現できる放射線可動絞り装置及び放射線撮影装置を提供することにある。
【００２０】
【課題を解決するための手段】
本発明に係る放射線可動絞り装置は、上述した課題を解決するために、請求項１に記載したように、放射線源と被検体との間に置かれ、当該放射線源から曝射された放射線の前記被検体への照射野を広狭可変に設定する可動絞りを有する放射線可動絞り装置において、前記照射野を設定するための光を発生させる光源と、前記放射線の曝射経路に対し進退可能に設置され、かつ、前記光源からの光を反射させて前記可動絞りを介して前記被検体に照射する反射鏡と、前記反射鏡を、光照射時には放射線経路内の正規位置に駐止させるとともに、放射線照射時には放射線経路外の退避位置に駐止させる反射鏡位置制御手段とを備えるものである。
【００２１】
次に、上述した課題を解決するために、請求項２に係る放射線可動絞り装置は、前記反射鏡の位置を検出する検出手段と、この検出手段により検出された信号により前記反射鏡が前記正規位置にあるか否かを判定する判定手段と、この判定手段により上記反射鏡が上記正規位置にあることが検出できないときは放射線の曝射を阻止するロック手段とを備えることを特徴とするものである。
【００２２】
そして、上述した課題を解決するために、請求項３に係る放射線可動絞り装置は、前記反射鏡の位置を検出する検出手段と、この検出手段により検出された信号により前記反射鏡が前記正規位置または前期退避位置にあるか否かを判定する判定手段と、この判定手段により上記反射鏡が上記正規位置または上記退避位置にあることが検出できないときは異常発生を知らせる警報手段とを備えることを特徴とするものである。
【００２３】
また、上述した課題を解決するために、請求項４に係る検出手段は、前記反射鏡に向かってレーザ光を投射するレーザ光発生素子と、この投射されたレーザ投射光が上記反射鏡により反射されたレーザ反射光を受光する受光素子とを備えたことを特徴とするものである。
【００２４】
さらに、上述した課題を解決するために、請求項５に係る放射線源は、Ｘ線源であることを特徴とするものである。
【００２５】
さらにまた、上述した課題を解決するために、請求項６に係る放射線撮影装置は、請求項１乃至５の何れか１つの放射線可動絞り装置を備えることを特徴とするものである。
【００２６】
【発明の実施の形態】
以下、本発明に係るＸ線撮影装置の実施形態について、添付図面を参照して説明する。
【００２７】
図１に示すＸ線撮影装置１は、Ｘ線ビームを照射する照射系１０と、その透過Ｘ線ビームを入射させる受像系５０と、これらを互いに対向した位置に保持する保持体６０と、これら対向した照射系と受像系との間に横設され被検体Ｐを支持する天板７０と、受像した画像を表示する表示部８０と、装置全体を制御するシステム制御部とを備えている。
【００２８】
これらの内、照射系１０は、Ｘ線を曝射するＸ線管１１と、曝射されたＸ線を線質硬化させるフィルタ１２と、Ｘ線出力範囲を制御する可動絞り装置２とを備える。
【００２９】
Ｘ線管１１は、高電圧発生装置（図示せず）から高電圧の印加を受けると、Ｘ線を発生する。このＸ線の発生オペレーションは、Ｘ線制御部１４及びシステム制御部９０により制御されている。
【００３０】
フィルタ１２は、検査目的や撮影しようとする被検体Ｐの部位の特性に応じた線質硬化を得るために、種々の金属板等でできたフィルタを挿入引抜して、自由に差替え可能に構成される。このフィルタの交換等は、フィルタ制御部１３により駆動・制御される。
【００３１】
可動絞り装置２は、図２に示すように、光照射野Ｌを形成する光照射野形成部２１と、Ｘ線照射野Ｘを制限するＸ線照射野制限部２２と、反射鏡３４の位置を検出して可動絞り装置２の安全性を確認する反射鏡位置検出部４０と、可動絞り装置２全体を制御する可動絞り制御部２３とを備える。詳細については後述する。
【００３２】
受像系５０は、被検体Ｐを透過したＸ線透視像を光学像に変換するＩ．Ｉ．５１と、このＩ．Ｉ．５１の出力像をＴＶ映像信号に変換する撮像管，固体撮像素子等の撮像部５２とを備えている。
【００３３】
Ｉ．Ｉ．１５１は、被検体Ｐを透過したＸ線をまず入力蛍光面で光に変換し、次に光を光電面で光電子に変換し、この光電子を内部の集束電極及び加速電極で集束及び加速し、最後に出力蛍光面で光に変換してから出力するように構成されている。
【００３４】
保持体６０には、その両端に夫々照射系１０と受光系５０とが互いに対向する向きで取り付けられており、この保持体６０を保持体駆動部６１が駆動するようになっている。これにより、照射系１０及び受像系５０は、天板７０の長手方向（即ち被検体Ｐとしての患者の体軸方向）及びこれに直交する短手方向に一体に移動可能になっている。保持体駆動部６１は、オペレータが操作パネルから指令した移動信号に基づいてシステム制御部９０が出力する駆動信号ｓ１によって動作するようになっている。保持体６０としては、Ｃ字形などの円弧状のアーム部材（Ｃアーム）を用いたものが知られている。
【００３５】
また天板７０は、対向した照射系１０と受像系５０との間に取り付けられたもので、天板駆動部７１からの駆動信号ｓ２に応答して長手方向にスライドするようになっている。この天板駆動部７１にもシステム制御部９０から駆動信号ｓが与えられる。
【００３６】
このように保持体６０（即ち、Ｘ線管１１及びＩ．Ｉ．５１）及び天板７０の内の少なくとも一方を長手方向に沿って移動させることにより、Ｘ線照射野を少なくとも天板７０の長手方向、短手方向で移動可能になっている。
【００３７】
表示部８０は、受光系５０から出力される画像信号を、カメラ制御部５３からの制御信号φに基づいて、Ａ／Ｄ変換器８１によってデジタル画像信号に変換した後、例えば画像メモリを備えた画像処理回路８２によって必要に応じて種々の画像処理が行なわれる。そして、画像処理回路８２からの出力信号は、Ｄ／Ａ変換器８３によってアナログ画像信号に変換され、ディスプレイ８４で表示に供される。
【００３８】
Ｘ線撮影装置１はこのように構成されるので、Ｘ線は、まず、Ｘ線管１１のＸ線窓から放出され、線質を硬化させるフィルタ１２と、Ｘ線照射野Ｘを必要最低限に絞って被曝量低減を促進するためのＸ線絞り装置２とを通過して、天板７０上に載置された被検体Ｐに照射される。そして、被検体Ｐを透過したＸ線は、天板７０の下に配置されたＩ．Ｉ．５１で光学像に変換される。この光学像は、撮像部５２の光学系を介して、カメラ制御部５３の制御のもとで撮像部５２により撮像される。そしてディスプレイ８４には、撮像部５２からの出力信号に基づいてＸ線像が濃淡で表示される。
【００３９】
前述の可動絞り装置２は、図２に示すように、光照射野形成部２１と、Ｘ線照射野制限部２２と、反射鏡位置検出部４０と、可動絞り制御部２３とを備える。これらの内、光照射野形成部２１は、光源としての電球３１、電球３１からの光の放射範囲制限用のマスク３３、反射鏡３４及び反射鏡駆動部３５とを備える。
【００４０】
反射鏡３４は、その設置位置において照射野全範囲を覆う大きさをもつ、Ｘ線が透過しやすい薄いガラスなどにアルミ蒸着により反射面を作ってなるもので、前記Ｘ線管１１のＸ線放射窓から所定距離離れた照射野全範囲を覆う位置に、Ｘ線中心軸と４５゜の傾斜角度をもって反射面を電球３１側に向けて設置されている。
【００４１】
また、この反射鏡３４は回転軸３６を有し、モータまたはソレノイド等を備える反射鏡駆動部３５によりこの回転軸３６廻りを、Ｘ線経路内の正規位置とＸ線経路外の退避位置との間で回動する。そして、操作パネル９１からの入力指示により、システム制御部９０を介して可動絞り制御部２３の制御に基づいて、Ｘ線経路内の正規位置に駐止したり、またはＸ線経路外の退避位置に駐止したりさせることができる。
【００４２】
電球３１は、そのフィラメント位置がＸ線管焦点Ｆから反射鏡３４の背面までの距離と等しく、かつその光中心軸がＸ線中心軸に直交するように向けて、すなわち共役な位置に、設置されている。なお、電球３１が共役な位置にあれば、反射鏡は必ずしもＸ線中心軸と４５゜の傾斜角度をもつ必要はない。
【００４３】
マスク３３は、上記のように電球３１及び反射鏡３４が設置されたときに、Ｘ線照射野と電球３１からの可視光照射野の大きさが一致するように光の放射範囲（角度）を制限する。
【００４４】
これによれば、Ｘ線を実際に照射することなく、照射目的物上でのＸ線照射野（照射範囲）を可視光（可視光照射野）にて確認することができる。
【００４５】
また、これにより、光照射野Ｌを投影する反射鏡３４は、Ｘ線曝射時にはＸ線経路に存在しないため、線質硬化のためのフィルタ１２を挿入する場合には、例えば反射鏡３４が１ｍｍ程度のアルミ等量を有するとすると、不必要なアルミ１ｍｍ相等の物質がない分、Ｘ線管１１や高電圧発生装置の負荷を低減することが可能となる。
【００４６】
さらに、各種規格上要求されるフィルタ量に反射鏡３４による吸収分を加える場合、ガラスでは含有金属の種類、分量等により大きく性質が異なるが、これに代えて安定した特性のアルミ等でフィルタを構成することができ、線質フィルタとしての安定化を図ることができる。
【００４７】
Ｘ線照射野制限部２２は、複数枚の絞り羽根３８と絞り羽根３８を広狭可変に設定する絞り羽根駆動部３９とを備える。
【００４８】
絞り羽根３８は、Ｘ線遮蔽材からなり、移動可能に備えられる。この複数枚の絞り羽根３８の配置関係を、操作パネル９１からの入力指示により、システム制御部９０を介して可動絞り制御部２３の制御に基づいて、調整することにより所望の開度が得られ、上記Ｘ線照射野Ｘを得ることができる。
【００４９】
反射鏡位置検出部４０は、図２に示すように、レーザ光を発生させるレーザ光発生素子４１と、反射鏡により反射されたレーザ光を受光する受光素子４２ａ，４２ｂと、この受光素子４２ａ，４２ｂの出力信号の有無を検出して反射鏡３４の位置を検出する信号検出器４３ａ，４３ｂとを備える。ここで、レーザ光発生素子４１は例えばレーザダイオード、受光素子４２ａ，４２ｂは例えばフォトダイオードから構成される。
【００５０】
反射鏡３４は、レーザ光発生素子４１から入射するレーザ光を反射する。
【００５１】
信号検出回路４３ａは、まず、受光素子４２ａからの受光信号を増幅する。次に、増幅された出力信号の包絡線検波と、それにより得られた整流出力を閾値演算し、整流出力のレベルが閾値以上の時にＺａ＝１（論理値１）を出力し、整流出力のレベルが閾値未満の時にＺａ＝０（論理値０）を出力する。
【００５２】
同様に、信号検出回路４３ｂは、まず、受光素子４２ｂからの受光信号を増幅する。次に、増幅された出力信号の包絡線検波と、それにより得られた整流出力を閾値演算し、整流出力のレベルが閾値以上の時にＺｂ＝１（論理値１）を出力し、整流出力のレベルが閾値未満の時にＺｂ＝０（論理値０）を出力する。
【００５３】
次に、図３に基づいて、本実施形態の反射鏡位置検出動作を説明する。
【００５４】
レーザ光発生素子４１から照射されたレーザ光は、反射鏡３４が光照射野Ｌを設定する正規位置にある場合は、図３（ａ）に示すように、反射鏡３４で反射されて受光素子４２ａに入射する。そして、反射鏡３４がＸ線照射時にあるべき退避位置にある場合は、図３（ｂ）に示すように、反射光は受光素子４２ｂに入射する。したがって、反射鏡３４が正規位置、退避位置のいずれの位置にもない場合は、図３（ｃ）に示すように、反射光はいずれの受光素子４２ａ，４２ｂでも受光されない。受光素子４２ａ，４２ｂの受光出力は、信号検出回路４３ａ，４３ｂに送出されて、増幅される。
【００５５】
可動絞り制御部２３における、反射鏡３４位置についての判断のフローを、図４を参照して説明する。可動絞り制御部２３では、まず信号検出回路４３ａからの信号について判断する（ステップＳ１）。この信号がＺａ＝１の場合は、可動絞り制御部２３は、反射鏡３４が正規位置にあると判断する（ステップＳ２）。そして、反射鏡３４が正規位置にあることを表示するとともに、光照射時の間に誤ってＸ線が照射されないように、Ｘ線照射スイッチをロックする（ステップＳ３）。
【００５６】
この反射鏡３４が正規位置にあることの表示は、例えば操作パネル上の専用のＬＥＤを点灯させることにより行われる。また、Ｘ線照射スイッチのロックは、可動絞り制御部２３からシステム制御部９０を介してＸ線制御部１４へと送られる信号に基づいて行われる。
【００５７】
これにより、光照射野は、反射鏡が正規位置にあることを確認することにより設定できるので、正確に行え、また、光照射野設定時に被検体ＰをＸ線に曝すこともない。
【００５８】
反対に、ステップＳ１においてこの信号がＺａ＝０の場合は、可動絞り制御部２３は、信号検出回路４３ｂからの信号について、反射鏡が退避位置にあるか否か判断する（ステップＳ４）。このとき、Ｚｂ＝１であれば、反射鏡３４は退避位置にあると判断し（ステップＳ５）、反射鏡３４が退避位置にあることを表示するとともに、Ｘ線の照射を許容すべくＸ線照射スイッチのロックを解除する（ステップＳ６）。
【００５９】
この反射鏡３４が退避位置にあることの表示は、例えば操作パネル上の専用のＬＥＤを点灯させることにより行われる。また、Ｘ線照射スイッチのロック解除は、可動絞り制御部２３からシステム制御部９０を介してＸ線制御部１４へと送られる信号に基づいて行われる。
【００６０】
これにより、Ｘ照射を、反射鏡が退避位置にあることを確認して行えるので、反射鏡３４がＸ線経路内に残ることによりＸ線が吸収されてＸ線量が不足し、良好な撮像が得られず撮り直しが必要になることもない。
【００６１】
ここでもＺｂ＝０であれば、反射鏡３４は正規位置、退避位置のいずれにもなく、中間に位置する、すなわち、反射鏡３４の駆動に異常が発生したと判断して（ステップＳ７）、異常発生の警報を送出するとともにＸ線照射スイッチをロックする（ステップＳ８）。
【００６２】
この、異常発生の警報は、例えば操作パネル上の専用のＬＥＤを点滅させる、及び／または、警報音を発する事により行われる。
【００６３】
これにより、操作員は装置に異常が発生したことを直ちに知ることができ、装置の信頼性を高めることができる。
【００６４】
そして、以降、撮影終了の指示があるまでこの一連の動作を繰り返す（ステップＳ９）。
【００６５】
尚、本実施形態における反射鏡駆動部３５及び可動絞り制御部２３が、本発明の「反射鏡位置制御手段」を構成し、さらに、反射鏡位置検出部４０が「反射鏡の位置を検出する検出手段」を、信号検出回路４３ａ，４３ｂ及び可動絞り制御部２３が「反射鏡が所定位置にあるか否かを判定する判定手段」を夫々構成する。
【００６６】
また、使用する光ビームは、狭指向性であればよく、例えばレーザビームが好ましいが、発光素子としてＬＥＤ等を用いて発生した光線をレンズ光学系等で狭指向性とした光ビームを使用することもできる。
【００６７】
このように構成することにより、光照射野Ｌの設定は反射鏡３４が退避位置にＸ線被曝量を大幅に低減することが可能となる。
【００６８】
次に、本発明に係るＸ線撮影装置の本実施形態の変形例について、図５及び図６を参照して説明する。
【００６９】
本変形例の可動絞り装置２ａは、図５に示すように、反射鏡３４の退避方法が異なる点で、第１の実施形態におけるものと基本的に相違し、他の構成は第１の実施形態と実質的に同じであり、同じ符号を付して説明を省略する。
【００７０】
すなわち、上述の実施形態においては、反射鏡は回転軸３６を有し、その廻りを回動することにより、Ｘ線経路の内外に移動させるものであった。この点本変形例では、反射鏡３４の左右にガイドバー３７を設け、これをモータまたはソレノイドを備える反射鏡駆動部３５によりこのガイドバー３７に沿ってスライドさせることにより、そして、操作パネル９１からの入力指示により、システム制御部９０を介して可動絞り制御部２３の制御に基づいて、Ｘ線経路内の正規位置に駐止したり、またはＸ線経路外の退避位置に駐止したりさせることができる。
【００７１】
したがって、反射鏡３４の位置検出についても、図６に示すように、レーザ光発生素子４１や受光素子４２ａ，４２ｂの位置が自ずと異なるものの、その原理、動作作用は第１の実施形態におけるものと同じである。
【００７２】
図６（ａ）に示すように、レーザ光発生素子４１から照射されたレーザ光は、反射鏡３４が光照射野Ｌを設定する正規位置にある場合は、反射鏡３４で反射されて受光素子４２ａに入射する。そして、反射鏡３４がＸ線照射時にあるべき退避位置にある場合は、図６（ｂ）に示すように、反射光は受光素子４２ｂに入射する。受光素子４２ａ，４２ｂの受光出力は、信号検出回路４３ａ，４３ｂに送出されて、増幅される。したがって、反射鏡３４が正規位置、退避位置のいずれの位置にもない場合は、図６（ｃ）に示すように、反射光はいずれの受光素子４２ａ，４２ｂでも受光されない。
【００７３】
上述の実施例では、Ｉ．Ｉ．５１を用いた間接撮影方式を例として説明したが、上述の構成をＸ線フィルム５４上にＸ線像を作成するいわゆる直接撮影方式のＸ線撮影装置に適用できることはいうまでもない。
【００７４】
以上に説明した実施態様は説明のためのものであり、本発明の範囲を制限するものではない。従って、当業者であればこれらの各要素もしくは全要素をこれと均等なものによって置換した実施態様を採用することが可能であるが、これらの実施態様も本発明の範囲に含まれる。
【００７５】
【発明の効果】
以上述べたように、本発明に係る放射線可動絞り装置及び放射線撮影装置は、放射線源と被検体との間に置かれ、当該放射線源から曝射された放射線の前記被検体への照射野を広狭可変に設定する可動絞りを有する放射線可動絞り装置において、前記照射野を設定するための光を発生させる光源と、前記放射線の曝射経路に対し進退可能に設置され、かつ、前記光源からの光を反射させて前記可動絞りを介して前記被検体に照射する反射鏡と、前記反射鏡を、光照射時には放射線経路内の正規位置に駐止させるとともに、放射線照射時には放射線経路外の退避位置に駐止させる反射鏡位置制御手段とを備えたので、明確な放射線照射野を得るとともに、同一の放射線照射結果を得るために要する放射線条件を低減することができるという効果が得られる。
【００７６】
また、本発明に係る可動絞り装置及び放射線撮影装置は、前記反射鏡の位置を検出する検出手段と、この検出手段により検出された信号により前記反射鏡が前記正規位置にあるか否かを判定する判定手段と、この判定手段により上記反射鏡が上記正規位置にあることが検出できないときはＸ線の曝射を阻止するロック手段、及び／または、この判定手段により上記反射鏡が上記正規位置または上記退避位置にあることが検出できないときは異常発生を知らせる警報手段とを備えたので、上記効果をより高い安全性・信頼性の下で実現できる効果が得られる。
【図面の簡単な説明】
【図１】本発明に係るＸ線撮影装置の実施形態の概要を示すブロック図。
【図２】図１に示されたＸ線撮影装置の可動絞り装置の概略構成を示す図。
【図３】反射鏡の位置検出の概略を示す図であって、（ａ）は正規位置にある場合、（ｂ）は退避位置にある場合、（ｃ）はそのいずれにもない場合。
【図４】可動絞り装置制御部の制御フロー図。
【図５】可動絞り装置の変形例の概略構成を示す図。
【図６】変形例における反射鏡の位置検出の概略を示す図であって、（ａ）は正規位置にある場合、（ｂ）は退避位置にある場合、（ｃ）はそのいずれにもない場合。
【図７】従来のＸ線撮影装置の可動絞り装置の概略構成を示す図。
【符号の説明】
１  Ｘ線撮影装置
２，２ａ  可動絞り装置
１０  照射系
１１  Ｘ線管
１２  フィルタ
１３  フィルタ制御部
１４  Ｘ線制御部
２１  光照射野形成部
２２  Ｘ線照射野制限部
２３  絞り制御部
３１  光源（電球）
３３  マスク
３４  反射鏡
３５  反射鏡駆動部
３６  回転軸
３７  ガイドバー
３８  絞り羽根
３９  絞り羽根駆動部
４０  反射鏡位置検出部
４１  レーザ光発生素子
４２ａ，４２ｂ  受光素子
４３ａ，４３ｂ  信号検出回路
５０  受像系
５１  イメージインテンシファイア（Ｉ．Ｉ．）
５２  撮像部
５３  カメラ制御部
５４  Ｘ線フィルム
６０  保持体
６１  保持体駆動部
７０  天板
７１  天板駆動部
８０  表示部
８１  Ａ／Ｄ変換器
８２  画像処理回路
８３  Ｄ／Ａ変換器
８４  ディスプレイ
９０  システム制御部
９１  操作パネル
【図１】
2005006971.tif 000003
【図２】
2005006971.tif 000004
【図３】
2005006971.tif 000005
【図４】
2005006971.tif 000006
【図５】
2005006971.tif 000007
【図６】
2005006971.tif 000008
【図７】
2005006971.tif 000009